(57)【要約】【課題】  洗米タンクで洗米した米を家庭用電気炊飯器の小さな種々の大きさの炊飯用内釜に供給する洗米供給装置を提供する。【解決手段】  洗米部（３）の洗米タンク（２３）に米を供給可能に構成し、該洗米タンク（２３）の米排出口（２５ａ）から洗米受け部（４）に載置する炊飯器（３２）の内釜（３３）に米及び水を供給可能に構成し、洗米受け部（４）には内釜（３３）の中心部と米排出口（２５ａ）の中心部とを対応規制する規制手段（３４）を設け、該規制手段（３４）の位置を変更可能に構成することを特徴とする。【選択図】図２
2015083076.tif 000002
【特許請求の範囲】
【請求項１】
洗米部（３）の洗米タンク（２３）に米を供給可能に構成し、該洗米タンク（２３）の米排出口（２５ａ）から洗米受け部（４）に載置する炊飯器（３２）の内釜（３３）に米及び水を供給可能に構成し、洗米受け部（４）には内釜（３３）の中心部と米排出口（２５ａ）の中心部とを対応規制する規制手段（３４）を設け、該規制手段（３４）の位置を変更可能に構成することを特徴とする洗米供給装置。
【請求項２】
請求項１の発明において、洗米部（３）を支架フレーム（５）で支持する構成とし、
洗米受け部（４）における洗米タンク（２３）の下方左右両側部に位置する左右支持棒（３６，３６）を前後方向に沿うように支架フレーム（５）に取り付け、規制手段（３４）を前後方向調節可能に左右支持棒（３６，３６）に取り付けたことを特徴とする洗米供給装置。
【請求項３】
請求項２の発明において、前記規制手段（３４）は、左右方向に沿った規制棒（３４ａ）と、該規制棒（３４ａ）の左右中央部に後側に膨出している規制彎曲部（３４ｂ）とを備えることを特徴とする洗米供給装置。
【請求項４】
請求項２乃至請求項３のいずれかの発明において、支架フレーム（５）は、洗米タンク（２３）を取り付ける上部支架フレーム（５ａ）と、据付け面に接地する下部支架フレーム（５ｂ）とで構成し、該上部支架フレーム（５ａ）を下部支架フレーム（５ｂ）に対し上下調節可能に取り付け、前記規制手段（３４）を下部支架フレーム（５ｂ）に取り付けたことを特徴とする洗米供給装置。
【発明の詳細な説明】
【技術分野】
【０００１】
この発明は、米収容部，洗米部，洗米受け部を備えた洗米供給装置に関するものである。
【背景技術】
【０００２】
貯米庫，洗米槽，炊飯器を上側から下側に順次配設し、洗米槽から炊飯器へ米と水とを落下供給する自動洗米炊飯装置は、公知である（特許文献１）。
【先行技術文献】
【特許文献】
【０００３】
【特許文献１】特開平３−３７０１４号公報
【発明の概要】
【発明が解決しようとする課題】
【０００４】
前記の自動洗米炊飯装置は、大型で通常は食堂，寿司屋，病院等の１升単位の米を炊飯する場所で用いられる業務用で、専用の大型炊飯釜を使用するのが通常である。
本発明は、比較的少量の米を洗米炊飯したい場合に対応するもので、市販の家庭用電気炊飯器の小さな種々の大きさの炊飯用内釜に洗米した米，水を供給できる洗米供給装置を提供しようとするものである。
【課題を解決するための手段】
【０００５】
請求項１の発明は、洗米部（３）の洗米タンク（２３）に米を供給可能に構成し、該洗米タンク（２３）の米排出口（２５ａ）から洗米受け部（４）に載置する炊飯器（３２）の内釜（３３）に米及び水を供給可能に構成し、洗米受け部（４）には内釜（３３）の中心部と米排出口（２５ａ）の中心部とを対応規制する規制手段（３４）を設け、該規制手段（３４）の位置を変更可能に構成することを特徴とする洗米供給装置とする。
【０００６】
請求項２の発明は、請求項１の発明において、洗米部（３）を支架フレーム（５）で支持する構成とし、洗米受け部（４）における洗米タンク（２３）の下方左右両側部に位置する位置調節軸（３６，３６）を前後方向に沿うように支架フレーム（５）に取り付け、規制手段（３４）を前後方向調節可能に位置調節軸（３６，３６）に取り付けたことを特徴とする。
【０００７】
請求項３の発明は、請求項２の発明において、前記規制手段（３４）は、左右方向に沿った規制棒（３４ａ）と、該規制棒（３４ａ）の左右中央部に後側に膨出している規制彎曲部（３４ｂ）とを備えることを特徴とするとする。
【０００８】
請求項４の発明は、請求項２乃至請求項３のいずれかの発明において、支架フレーム（５）は、洗米タンク（２３）を取り付ける上部支架フレーム（５ａ）と、据付け面に接地する下部支架フレーム（５ｂ）とで構成し、該上部支架フレーム（５ａ）を下部支架フレーム（５ｂ）に対し上下調節可能に取り付け、前記規制手段（３４）を下部支架フレーム（５ｂ）に取り付けたことを特徴とする。
【発明の効果】
【０００９】
請求項１の発明によると、洗米タンク（２３）の洗米した米及び水を炊飯器（３２）の種々の大きさの内釜（３３）に円滑に落下供給することができる。
請求項２の発明によると、請求項１の発明の前記効果に加えて、規制手段（３４）の左右中央の規制位置に内釜（３３）を手前側から容易にセットすることができ、規制手段（３４）の前側に位置している左右両側部を手前側から容易に前後調節することができる。
【００１０】
請求項３の発明によると、請求項２の発明の前記効果に加えて、左右方向に沿った規制棒（３４ａ）の左右中央部の後側に膨出している規制彎曲部（３４ｂ）で内釜（３３）の後側面を嵌合規制し、洗米タンク（２３）を前側からセットしながら洗米タンク（２３）の中心部と内釜（３３）の中心部とを容易に合わせることができる。また、規制彎曲部（３４ｂ）を形成することで規制手段（３４）の調節位置を前側に近づけることができるので操作がし易い。
【００１１】
請求項４の発明によると、請求項２乃至請求項３の発明の前記効果に加えて、種々の大きさの内釜（３３）のセット位置を規制する内釜規制手段（３４）を下部支架フレーム（５ｂ）の所定高さに取り付けることにより、内釜（３３）の種々の大きさに合わせて洗米タンク（２３）を取り付けている上部支架フレーム（５ａ）を下部支架フレーム（５ａ）に対して上下調節した場合にも内釜規制手段（３４）はそのままの位置にあり前後調節操作を容易に行なうことができる。
【図面の簡単な説明】
【００１２】
【図１】洗米供給装置の正面図。
【図２】洗米供給装置の斜視図。
【図３】洗米供給装置の下部の平面図。
【図４】洗米タンクの下部の切断正面図。
【発明を実施するための形態】
【００１３】
以下、図面に示す本発明の実施例について説明する。
図１乃至図４に基づき本実施例を備えた洗米供給装置について説明する。
洗米供給装置１は、上側の米収容部２と、米収容部２から流下供給され米を受けて洗米する洗米部３と、洗米部３からの洗米した米及び水を受け入れる下側の洗米受け部４と、米収容部２と洗米部３を支架する支架フレーム５により構成されている。
【００１４】
米収容部２には開閉自在の蓋１１を備えた米収容ホッパ１２を設け、米収容部２の正面には操作パネル１３を備え、操作パネル１３にはコントローラ（図示省略）に接続されている表示画面１４，電源スイッチ１５，１合供給スイッチ１６，２合供給スイッチ１７，３合供給スイッチ１８及び米不足センサ１９を設けている。
【００１５】
米収容ホッパ１２の下部流下口には横軸回りに回転する供給円筒，駆動用モータを備えた計量繰出手段２０を設け、前記１合供給スイッチ１６，２合供給スイッチ１７，３合供給スイッチ１８のスイッチ操作に応じて供給円筒を回転駆動し白米を洗米部３に供給するようにしている。
【００１６】
洗米部３にはホッパ状の洗米タンク２３を設け、洗米タンク２３内には鉛直軸２４ａ回りに回転する拡散羽根２４を設け、洗米モータ４０で駆動するようにしている。鉛直軸２４ａの中空部には下部に投下弁２６を取り付けた投下軸２６ａを上下動自在に挿通支持し、投下モータ（図示省略）により投下軸２６ａを上下動し、洗米タンク２３内の米および水を洗米受け部４に載置する内釜３３に投下供給するようにしている。
【００１７】
本実施の形態では洗米受け部４は内釜３３を載置できる空間部を指すが前後方向への引き出し式の載置板（図示せず）を設け、その上に内釜３３を載置する構成でも良い。
洗米タンク２３の下端部には網体（米は漏れないが水の漏れる）２５ｂで構成されている排米通路２５を設け、網体２５ｂの周囲を着脱自在のジャケット２７で被覆している。排米通路２５の下端部が米排出口２５ａとなる。
【００１８】
給水管２８の上手側を給水源（図示省略）に接続し、中途部に電磁弁（図示省略）を設け、給水管２８の下手側をジャケット２７，網状の排米通路２５を経由して洗米タンク２３の下部に連通し、洗米タンク２３の下部から給水するようにしている。
【００１９】
ジャケット２７の側壁には排水口４１を設け、排水口に排水管（図示省略）を接続し、排水管の中途部には排水ソレノイド（図示省略）で開閉する開閉弁（図示省略）を設け、排水管により洗米で汚れた水を排水するようにしている。
【００２０】
洗米タンク２３の下部流下口の下端部には、図４に示すように環状の取付環状溝２３ａを設け、円板状の外周側下り傾斜の飛散防止ゴム板２９の中心部に取付穴２９ａを開口し、下部流下口の取付環状溝２３ａに飛散防止ゴム板２９の取付穴２９ａの内端部を圧入し着脱自在に取り付け、洗米タンク２３からの米及び水を飛散せずに内釜３３に落下供給するようにしている。
【００２１】
前述の通り、洗米受け部４には市販の電気炊飯器３２の例えば０．１升〜１升の複数の内釜３３を配置できる空間部が構成されている。
支架フレーム５は、米収容部２と洗米部３を支架する上部支架フレーム５ａと、据付け面に接地される下部支架フレーム５ｂとで構成されている。米収容部２は周囲を囲む機体フレーム６に取り付けられていて、機体フレーム６の四隅にパイプ状の上部支架フレーム５ａを下方に延出するように取り付けている。
【００２２】
下部支架フレーム５ｂは前後に沿った左右接地フレーム５ｂａと、左右接地フレーム５ｂａの前後両側から立ち上げている４本の下縦棒５ｂｂとで構成し、上部支架フレーム５ａと下縦棒５ｂｂとを複数の調節孔に固定ノブボルト４２を差し替え上下調節可能に構成し、米収容部２及び洗米部３を一体的に上下調節できるようにしている。
【００２３】
洗米受け部４の空間部には洗米タンク２３の下方に配置する内釜３３の配置位置を規制する内釜規制手段３４を設けている。下部支架フレーム５ｂの下縦棒５ｂｂの上下中途部に位置調節軸３６，３６を前後方向に沿うように固着している。
【００２４】
内釜規制手段３４は、図２，図３に示すように左右方向に沿った規制棒３４ａと、その左右中央部に後側に膨出するように規制彎曲部３４ｂを設けた構成とし、規制彎曲部３４ｂの前側彎曲面に内釜３３の後側面を嵌合し配置位置を規制する構成とし、洗米タンク２３の中心部と内釜３３の中心部とを上下にそろえるようにしている。位置調節軸３６，３６には規制棒３４ａの左右両端を前後調節自在に固定ノブボルト４４で位置決め固定し、種々の大きさの内釜３３の中心部と洗米タンク２３の中心部とをそろえるようにしている。
【００２５】
前後方向に沿う位置調節軸３６，３６のいずれか一方に内釜検出センサ３８を固定ノブボルト４３で前後調節自在に取り付け、０．１升〜１升用の種々の内釜３３の有無を検出できるようにしている。
【００２６】
内釜検出センサ３８は検出軸３８ａと検出軸検知部３８ｂとからなる構成で、規制棒３４ａの位置より前側に取り付けることで、検出軸３８ａの検出を行い易くしている。
次に、洗米供給装置１の作用の概要について説明する。
【００２７】
米収容部２の米収容ホッパ１２に白米を投入し、電源スイッチ１５をＯＮし、１合供給スイッチ１６，２合供給スイッチ１７，３合供給スイッチ１８を選択的あるいは重複してＯＮする。すると、コントローラの米供給指令に基づき米供給モータ，計量繰出手段２０が駆動され、０．１升〜１升の白米が下方の洗米タンク２３に供給される。
【００２８】
次いで、コントローラの洗米指令に基づき給水管２９の電磁弁が開調節され給水管２８から洗米タンク２３の下部から白米の量に応じた水が供給され、所定時間にわたり洗米モータにより拡散羽根２４が回転駆動され白米は洗米される。次いで、ジャケット２７の排水口の開閉弁を開調節し汚れた水は排水される。このような洗米作業を１回あるいは複数回繰り返し洗米作業が実行され、次いで、きれいな水が供給白米に応じて供給され洗米作業は終了する。
【００２９】
洗米作業が終了すると、コントローラは内釜検出センサ３８の検出情報により内釜３３のセット状態を判定し、ＯＦＦ状態で内釜３３がセットされていない場合には、表示画面１４に内釜３３のセットを促す警報表示をし、内釜検出センサ３８がＯＮすると内釜規制手段３４に内釜３３のセット状態を検出する。
【００３０】
次いで、コントローラの白米投下指令に基づき投下モータ（図示省略）を投下作動し投下軸２６ａ，投下弁２６を下動し、洗米タンク２３内の白米および水を洗米受け部４の内釜３３に投下供給し、次いで、投下軸２６ａ，投下弁２６を上動し洗米タンク２３の排米通路２５を閉鎖し投下作業を終了する。次いで、オペレータは内釜３３を洗米受け部４から取り出し水加減をし、電気炊飯器３２に内釜３３をセットし炊飯する。
【００３１】
あるいは、洗米作業の終了後、白米に応じた水加減の水を供給し、水と白米を内釜３３に供給する構成としても良い。
本実施の形態では電気炊飯機３２の内釜３３を洗米受け部４に載置しているが、内釜３３を内蔵した炊飯機自体を洗米受け部４に載置し、同様の規制手段３４で規制することも可能である。すなわち、本発明の内釜を炊飯釜と置き換えても良い。
【符号の説明】
【００３２】
１      洗米供給装置
２      米収容部
３      洗米部
４      洗米受け部
５      支架フレーム
５ａ    上部支架フレーム
５ｂ    下部支架フレーム
１２      米収容ホッパ
２３      洗米タンク
３２      家庭用電気炊飯器
３３      内釜
３４      内釜規制手段
３４ａ    規制棒
３４ｂ    規制彎曲部
３６      位置調節軸
【図１】
2015083076.tif 000003
【図２】
2015083076.tif 000004
【図３】
2015083076.tif 000005
【図４】
2015083076.tif 000006